(57)【要約】【課題】  簡素な構成で、用紙からの大きな反力が作用した場合でも、その大きな反力を良好に受け止めることができながらも、そのための操作を迅速に行える印刷機の胴昇降装置を提供する。【解決手段】  対向配置した一対の胴１Ａ，１Ｂのうちの一方の胴１Ａを、他方の胴１Ｂに接近させた接近位置と、該他方の胴１Ｂから離間させた退避位置とに切り替え自在に構成している印刷機の胴昇降装置であって、前記一方の胴１Ａを接近位置と離間位置とに移動させるためのアクチュエータ１１と、アクチュエータ１１によって回転される回転部材１２と、回転部材１２に噛み合って回転部材１２の回転運動を直線運動に変換し、かつ、一方の胴１Ａに直接又は間接的に連結した噛合部材１４とを備え、噛合部材１４を一対の胴１Ａ，１Ｂの回転中心Ｘ１，Ｘ２を結ぶ延長線上又は該延長線上近傍に配置した。【選択図】  図２
2010120284.tif 000002
【特許請求の範囲】
【請求項１】
対向配置した一対の胴のうちの一方の胴を、他方の胴に接近させた接近位置と、該他方の胴から離間させた退避位置とに切り替え自在に構成した印刷機の胴昇降装置であって、
前記一方の胴を接近位置と退避位置とに移動させるためのアクチュエータと、該アクチュエータによって回転される回転部材と、該回転部材に噛み合って該回転部材の回転運動を直線運動に変換し、かつ、前記接近離間させる胴に直接又は間接的に連結した噛合部材とを備え、前記噛合部材を前記一対の胴の回転中心を結ぶ延長線上又は該延長線上近傍に配置したことを特徴とする印刷機の胴昇降装置。
【請求項２】
前記回転部材が、ボールねじであり、前記噛合部材が、ボールナットである請求項１に記載の印刷機の胴昇降装置。
【請求項３】
前記接近離間させる胴を支持部材に備え、該支持部材の左右幅方向のうちの少なくとも一方側に、該支持部材を移動案内するための案内手段を備えている請求項１又は２記載の印刷機の胴昇降装置。
【請求項４】
前記案内手段が、前記支持部材の左右幅方向両側に設けられ、一方の案内手段が、該支持部材を移動案内するためのガイドレールであり、他方の案内手段が、該支持部材に当接状態で配置された案内用コロである請求項３記載の印刷機の胴昇降装置。
【請求項５】
前記アクチュエータが電動モータであり、該電動モータを水平方向に配置し、かつ、前記ボールねじを該電動モータと直交する縦向きに配置し、該電動モータと該ボールねじとをウォームギヤ機構を介して連結したことを特徴とする請求項２記載の印刷機の胴昇降装置。
【請求項６】
対向配置した一対の胴のうちの一方の胴を、他方の胴に接近させた接近位置と、該他方の胴から離間させた退避位置とに切り替え自在に構成した印刷機の胴昇降装置であって、
前記一方の胴を接近位置と退避位置とに移動させるための伸縮部を有するアクチュエータと、該アクチュエータの伸縮部と前記接近離間させる胴とを直接又は間接的に連結した連結部とを備え、少なくとも該胴の接近位置におけるアクチュエータの伸縮部の位置を固定可能に構成し、前記連結部を前記一対の胴の回転中心を結ぶ延長線上又は該延長線上近傍に配置したことを特徴とする印刷機の胴昇降装置。
【請求項７】
前記アクチュエータが、ロック機構付のガススプリングである請求項６記載の印刷機の胴昇降装置。
【発明の詳細な説明】
【技術分野】
【０００１】
本発明は、対向配置した一対の胴のうちの一方の胴を、他方の胴に接近させた接近位置と、該他方の胴から離間させた退避位置とに切り替え自在に構成した印刷機の胴昇降装置に関する。
【背景技術】
【０００２】
上記構成の印刷機の胴昇降装置として、例えば移動中のウェブ材料（用紙）に被覆材を被覆することができる被覆材付着用布地ローラを昇降させることができる装置が既に提案されている。
【０００３】
前記のように被覆材付着用布地ローラを昇降させることによって、ブランケット胴に対して大きく離間した退避位置まで移動させることで、メンテナンス等が行い易い利点がある。前記退避位置に位置させるための具体的構成としては、被覆材付着用布地ローラが取り付けられたベースフレームを昇降操作する液圧シリンダを備えるとともに、該ベースフレームを水平方向に移動させるためのスライドシャフトを備えている。
【０００４】
従って、ベースフレームの昇降と水平方向への移動を複数回交互に繰り返して行うことによって、被覆材付着用布地ローラをブランケット胴に接近させて用紙に被覆材を被覆する接近位置とブランケット胴から大きく離間させた退避位置とに切り替えることができるように構成している（例えば、特許文献１参照）。
【特許文献１】特開昭６４−４５６３８号公報（図１、図２参照）
【発明の開示】
【発明が解決しようとする課題】
【０００５】
前記特許文献１の構成では、ベースフレームを昇降させる液圧シリンダと水平方向へ移動させるスライドシャフトとを必要とし、装置全体が複雑になる不都合があった。
【０００６】
また、被覆材付着用布地ローラをブランケット胴から大きく離間させることによって、メンテナンス面において有利になるものの、被覆材付着用布地ローラをブランケット胴に接近させた使用位置において、被覆材付着用布地ローラの回転中心とブランケット胴の回転中心とを結ぶ延長線上から大きく離れた位置で被覆材付着用布地ローラがベースフレームに回転支持されている構成であるため、次のような不都合があった。
【０００７】
つまり、ブランケット胴と被覆材付着用布地ローラとの隙間に、この隙間よりも大きな厚さを有する用紙が供給されると、用紙から大きな反力が被覆材付着用布地ローラに伝達される。しかし、その大きな反力を被覆材付着用布地ローラの回転中心とブランケット胴の回転中心とを結ぶ延長線上から大きく離れた位置で支持するベースフレームで確実に受け止めることができない。その結果、ベースフレームは、大きな反力を受けることによって、ブランケット胴から拗れながら離間してしまい、被覆材付着用布地ローラとブランケット胴との間隔を所定の間隔に保持することができない。このため、用紙への被覆材の付着を良好に行うことができないものであった。
【０００８】
そこで、前記不都合を解消するべく、特許文献１では、供給された用紙からの反力を受けて被覆材付着用布地ローラがブランケット胴から大きく離間することを阻止する阻止手段を設けている。
【０００９】
前記阻止手段は、ベースフレームを受け止める支持バーの表面に備えさせたスタッドボルトと、このスタッドボルトに螺合するナットとから構成されている。従って、被覆材付着用布地ローラを接近位置に位置させたときに、支持バーのスタッドボルトがベースフレームの貫通孔を貫通する。そして、ベースフレームから突出したスタッドボルトの上端にナットを螺合させることにより、ベースフレームを支持バーに固定することができるようになっている。
【００１０】
しかしながら、前記のようにベースフレームを支持バーに一旦固定してしまうと、被覆材付着用布地ローラを接近位置から退避位置に切り替えることができない。このため、被覆材付着用布地ローラを接近位置から退避位置に切り替える場合には、螺合したナットを緩めてスタッドボルトから取り外さなければならず、操作性が非常に悪いものであった。
【００１１】
本発明が前述の状況に鑑み、解決しようとするところは、簡素な構成で、用紙からの大きな反力が作用した場合でも、その大きな反力を良好に受け止めることができながらも、そのための操作を迅速に行える印刷機の胴昇降装置を提供することを課題とする。
【課題を解決するための手段】
【００１２】
本発明の印刷機の胴昇降装置は、対向配置した一対の胴のうちの一方の胴を、他方の胴に接近させた接近位置と、該他方の胴から離間させた退避位置とに切り替え自在に構成した印刷機の胴昇降装置であって、前記一方の胴を接近位置と退避位置とに移動させるためのアクチュエータと、該アクチュエータによって回転される回転部材と、該回転部材に噛み合って該回転部材の回転運動を直線運動に変換し、かつ、前記接近離間させる胴に直接又は間接的に連結した噛合部材とを備え、前記噛合部材を前記一対の胴の回転中心を結ぶ延長線上又は該延長線上近傍に配置したことを特徴としている。
【００１３】
上記のように、アクチュエータにより回転部材を回転させるだけで、回転運動が噛合部材により直線運動に変換されて、胴を接近位置と退避位置とに切り替えることができる。しかも、噛合部材を前記一対の胴の回転中心を結ぶ延長線上又は該延長線上近傍に配置することによって、例えば一対の胴の隙間にその隙間よりも大きな厚さの用紙が供給されて、用紙からの大きな反力が噛合部材に作用しても、この大きな反力が作用する位置又はその近傍位置に配置された噛合部材で効率よく確実に受け止めることができる。尚、噛合部材と回転部材とが噛み合っていることから、前記大きな反力で回転部材が不測に回転されることを確実に防止することができる。
【００１４】
本発明の印刷機の胴昇降装置は、前記回転部材が、ボールねじであり、前記噛合部材が、ボールナットであってもよい。
【００１５】
また、本発明の印刷機の胴昇降装置は、前記接近離間させる胴を支持部材に備え、該支持部材の左右幅方向のうちの少なくとも一方側に、該支持部材を移動案内するための案内手段を備えるようにすれば、胴を備えた重量のある支持部材を、拗れなくスムーズに他の胴に対して接近離間させることができる。
【００１６】
また、本発明の印刷機の胴昇降装置は、前記案内手段が、前記支持部材の左右幅方向両側に設けられ、一方の案内手段が、該支持部材を移動案内するためのガイドレールであり、他方の案内手段が、該支持部材に当接状態で配置された案内用コロであってもよい。
【００１７】
また、本発明の印刷機の胴昇降装置は、前記アクチュエータが電動モータであり、該電動モータを水平方向に配置し、かつ、前記ボールねじを該電動モータと直交する縦向きに配置し、該電動モータと該ボールねじとをウォームギヤ機構を介して連結するようにすれば、ウォームギヤ機構が持つセルフロック機能を発揮させて、電動モータの逆転を確実に防止することができる。しかも、電動モータを水平方向に配置することによって、装置全体が縦方向に大型化することを抑制することができる。
【００１８】
また、本発明の印刷機の胴昇降装置は、対向配置した一対の胴のうちの一方の胴を、他方の胴に接近させた接近位置と、該他方の胴から離間させた退避位置とに切り替え自在に構成した印刷機の胴昇降装置であって、前記一方の胴を接近位置と退避位置とに移動させるための伸縮部を有するアクチュエータと、該アクチュエータの伸縮部と前記接近離間させる胴とを直接又は間接的に連結した連結部とを備え、少なくとも該胴の接近位置におけるアクチュエータの伸縮部の位置を固定可能に構成し、前記連結部を前記一対の胴の回転中心を結ぶ延長線上又は該延長線上近傍に配置したことを特徴とした印刷機の胴昇降装置であってもよい。
【００１９】
上記のように、アクチュエータの伸縮部を伸長又は短縮させるだけで、胴を接近位置と退避位置とに切り替えることができる。しかも、アクチュエータの伸縮部と胴とを連結した連結部を、前記一対の胴の回転中心を結ぶ延長線上又は該延長線上近傍に配置することによって、例えば一対の胴の隙間にその隙間よりも大きな厚さの用紙が供給されて、用紙からの大きな反力が噛合部材に作用しても、この大きな反力が作用する位置又はその近傍位置に配置された連結部で効率よく確実に受け止めることができる。尚、少なくとも該胴の接近位置におけるアクチュエータの伸縮部の位置を固定可能に構成していることから、前記大きな反力で回転部材が不測に回転されることを確実に防止することができる。
【００２０】
前記アクチュエータが、ロック機構付のガススプリングであってもよい。
【発明の効果】
【００２１】
アクチュエータにより胴を接近位置と退避位置とに切り替えることができるだけでなく、噛合部材又は連結部を一対の胴の回転中心を結ぶ延長線上又は該延長線上近傍に配置することによって、簡素な構成にできながらも、例え一対の胴の隙間にその隙間よりも大きな厚さの用紙が供給されて、用紙からの大きな反力が噛合部材に作用しても、この大きな反力が作用する位置又はその近傍位置に配置された噛合部材で効率よく確実に受け止めることができる。その結果、用紙からの大きな反力が作用した場合でも、その大きな反力を良好に受け止めることができる印刷機の胴昇降装置を提供することができる。しかも、アクチュエータにより胴を退避位置から接近位置に切り替えるだけで済み、操作性が低下することがない。
【発明を実施するための最良の形態】
【００２２】
図１に、印刷された印刷用紙の印刷面に光沢を出すための樹脂ワニス（ニスとも言う）を塗布（コーティング）するためのワニス塗布部１が組み込まれた印刷機の一例を示している。この印刷機は、紙積み台２と、紙積み台２からフィーダ装置３により一枚ずつ印刷用紙を送り出すための給紙部４と、この給紙部４から送り出された印刷用紙Ｐに５色の印刷を行うための印刷部５と、該印刷部５により印刷された印刷用紙に紫外線硬化型樹脂ワニスを塗布する前記ワニス塗布部１と、該ワニス塗布部１により紫外線硬化型樹脂ワニスが塗布された印刷用紙を搬送して排紙するための排紙部６と、排紙部６内に設けられ、排紙部６により搬送されてくる印刷用紙の紫外線硬化型樹脂ワニスを硬化させるための紫外線乾燥装置７とを備えている。ここでは、５色の印刷が行えるように５台の印刷ユニット５Ａ〜５Ｅを備えた印刷部５を示しているが、５色以外の色、つまり１色又は２色以上の印刷が行える印刷部であってもよい。又、前記排紙部６は、グリッパを備えるチェーン搬送装置にて構成しているが、この排紙部６のない印刷機であってもよいし、又、印刷機を構成する各部の具体的な構成は図に示されるものに限定されるものではない。又、印刷用紙として枚葉紙を用いているが、連続する長尺な用紙であってもよい。更に、前記ワニス塗布部１が、紫外線硬化型樹脂ワニスを塗布する他、水性ワ二ス（水性ニス）を塗布する場合であってもよい。この場合には、前記紫外線乾燥装置７の印刷用紙搬送方向前後に備えている赤外線乾燥装置８Ａ，８Ｂにより塗布された水性ニスを乾燥させることになる。
【００２３】
前記印刷ユニット５Ａ〜５Ｅは、印刷用圧胴５ａ〜５ｅを備え、これら印刷用圧胴５ａ〜５ｅの搬送方向上流側のそれぞれには、各印刷用圧胴へ印刷用紙を渡すための渡し胴９ａ〜９ｅを備えている。尚、前記渡し胴９ａ〜９ｅのうちの搬送方向始端側に位置する径の小さな渡し胴９ａを給紙胴とも言い、この渡し胴９ａと前記フィーダ装置３とから前記給紙部４を構成している。そして、図示していないが、前記胴５ａ〜５ｅ及び渡し胴９ａ〜９ｅのそれぞれには、送り出されてきた印刷用紙を爪台と爪とで把持するグリッパを円周方向の複数箇所（１箇所でもよい）に備えている。尚、前記径の小さな渡し胴９ａにも、図示していないが、印刷用紙を爪台と爪とで把持するグリッパを円周方向の１箇所に備えている。
【００２４】
前記ワニス塗布部１は、印刷用紙を搬送するためのニス圧胴１Ｂと、ニス圧胴１Ｂにより搬送される印刷用紙に紫外線硬化型樹脂ワニスを塗布するためのニス胴１Ａとを備えている。前記ニス胴１Ａに紫外線硬化型樹脂ワニスを供給するためのニス供給ローラ１０を、該ニス胴１Ａに接触させた状態で備えている。そして、対向配置したニス圧胴１Ｂ及びニス胴１Ａのうちの一方の胴（ニス胴１Ａ）を、他方の胴（ニス圧胴１Ｂ）に接近させた接近位置と、該他方の胴から離間させた退避位置とに切り替え自在にするための昇降手段を左右両側にそれぞれ備えており、次にその昇降手段について詳述する。尚、前記ニス圧胴１Ｂの搬送方向上流側にも、渡し胴１Ｇを備えており、この渡し胴１Ｇは、送り出されてきた印刷用紙を爪台と爪とで把持するグリッパを円周方向の複数箇所（１箇所でもよい）に備えている。
【００２５】
図２に示すように、前記昇降手段は、ニス胴１Ａを前記接近位置と離間位置とに移動させるための駆動源となるアクチュエータの一例である電動モータ１１と、電動モータ１１によって回転される回転部材１２と、該回転部材１２に噛み合って該回転部材１２の回転運動を直線運動に変換し、かつ、前記ニス胴１Ａを回転支持する支持部材としての昇降フレーム１３に連結した噛合部材１４とを備えている。尚、昇降フレーム１３には、前記ニス胴１Ａの他、前記ニス供給ローラ１０も回転自在に支持されており、ニス胴１Ａと共にニス供給ローラ１０も同時に昇降できる。前記アクチュエータとしては、電動モータ１１の他、油圧モータ等であってもよい。
【００２６】
前記回転部材１２が、ボールねじであり、前記噛合部材１４が、ボールねじ１２に螺合されたボールナットである。ボールねじ１２は、それの長手方向が鉛直方向に対して少し搬送方向前方側に傾けた前方傾斜姿勢となる縦向きに配置され、固定側の支持フレーム１５に回転自在に支持されている。これに対して、ボールナット１４は、前記昇降フレーム１３に取付部材１６を介して回転不能に連結されている。従って、電動モータ１１を駆動することによって、ボールねじ１２が回転し、この回転によってボールナット１４がボールねじ１２の長手方向に移動して、昇降フレーム１３を昇降させる。
【００２７】
そして、前記ボールナット１４を、前記ニス圧胴１Ｂの回転中心Ｘ２とニス胴１Ａの回転中心Ｘ１とを結ぶ延長線上近傍であって、該線に沿って配置してあり、ニス圧胴１Ｂとニス胴１Ａとで形成される隙間に印刷用紙が挿入されたときに受ける反力を効率よく確実に受けることができ、ニス胴１Ａがニス圧胴１Ｂから離間する側への移動を阻止することができる。尚、ボールねじ１２とボールナット１４とが噛み合っていることから、前記反力を受けてボールナット１４が不測に回転するといったことを確実に阻止することができるように構成している。
【００２８】
前記電動モータ１１は、水平方向に配置され、前記ボールねじ１２は、電動モータ１１と直交する縦向きに配置されている。このように電動モータ１１を水平方向に配置することによって、装置全体が縦方向に大型化することを抑制することができる。そして、前記電動モータ１１とボールねじ１２とをウォームギヤ機構１７を介して連結することによって、ウォームギヤ機構１７が持つセルフロック機能を発揮させて、電動モータ１１の逆転を確実に防止することができる。
【００２９】
前記ウォームギヤ機構１７は、前記電動モータ１１の出力軸に一体回転するように外嵌されたウォーム１７Ａと、このウォーム１７Ａに噛み合うとともに前記ボールねじ１２の上端に一体回転するように外嵌されたウォームホイール１７Ｂとから構成されている。
【００３０】
前記のように構成された昇降装置を作動させることによって、図２及び図４に示すように、ニス圧胴１Ｂに対してニス胴１Ａを接近させて印刷用紙表面にニスを塗布する接近位置と、図５に示すように、ニス圧胴１Ｂに対してニス胴１Ａを上方に設定距離離間させてニスを塗布しない状態又は機器のメンテナンスなどを行う退避位置とに切り替えることができる。
【００３１】
前記昇降フレーム１３の左右幅方向両側に、昇降フレーム１３を接近離間自在に移動案内するための案内手段１８，１９を備えて、昇降フレーム１３の昇降がスムーズに行えるようにしている。
【００３２】
図２、図４及び図５において右側に位置する前記一方の案内手段１８が、昇降フレーム１３を移動案内するためのガイドレールであり、図２、図４及び図５において左側に位置する前記他方の案内手段１９が、昇降フレーム１３に当接状態で配置された上下一対の案内用コロ１９Ａ，１９Ｂである。
【００３３】
前記ガイドレール１８は、前記支持フレーム１５に取り付けられた固定側のガイドレール部１８Ａと、このガイドレール部１８Ａに係合して上下に移動するべく、前記昇降フレーム１３に取り付けられた可動側のガイドレール部１８Ｂとからなっている。
【００３４】
前記コロ１９Ａ，１９Ｂは、前記支持フレーム１５に形成された凹部（図示せず）内に回転自在に配設され、コロ１９Ａ，１９Ｂの外周面が昇降フレーム１３の左側の一側面に接触した状態を維持するようにしている。従って、昇降フレーム１３の昇降時に、コロ１９Ａ，１９Ｂが回転しながら昇降フレーム１３を移動案内するようになっている。
【００３５】
図２、図４及び図５に符号２０で示す要素は、前記ニス圧胴１Ｂとニス胴１Ａとで形成される隙間に印刷用紙が挿入されたときに受ける反力を受けて昇降フレーム１３がニス圧胴１Ａから離間する上方へ移動することを更に阻止するために設けられたストッパーである。
【００３６】
前記ストッパー２０は、それの一端が支持フレーム１５に水平軸芯周りで揺動自在に取り付けられ、他端が一対のリンク２１，２２を介してエアシリンダ２３の操作ロッド２３Ａの先端に連結されている。従って、エアシリンダ２３を伸長作動させることにより、ストッパー２０を下方へ揺動することで、図２及び図４に示すようにストッパー２０を昇降フレーム１３の上端の折曲片１３Ａに接当させて、ニス胴１Ａがニス圧胴１Ｂから離間する上方へ移動することを阻止することができる。尚、昇降フレーム１３を上昇させた退避姿勢にする場合には、昇降フレーム１３の上昇を開始する前に、エアシリンダ２３を短縮作動させることにより、ストッパー２０を上方へ揺動することで、図５に示すように、昇降フレーム１３の上昇に支障のないように退避させることができる。
【００３７】
前記昇降フレーム１３が予め設定された上昇位置と下降位置とに位置すると、電動モータ１１の駆動を停止するように構成されている。具体的には、昇降フレーム１３に検知片２４を備え、昇降フレーム１３の昇降に伴い、検知片２４の通過を検出する上限検知センサ２５及び下限検知センサ２６を支持フレーム１５に備えるとともに、これら上限検知センサ２５及び下限検知センサ２６からの検出情報に基づいて電動モータ１１の駆動を制御するための制御部（図示せず）を備えている。
【００３８】
図２、図４及び図５に符号２７で示す要素は、前記昇降フレーム１３の下端に接当させることにより昇降フレーム１３の下限位置を調整するための下限位置調整用のブロックである。
【００３９】
図３に符号２８で示す要素は、ニス供給ローラ１０にニスを供給するためのニス供給装置であり、また符号２９で示す要素は、ニス供給装置２８からニス供給ローラ１０に供給したニスの余剰分を下方で受け止めるためのニス受け皿である。
【００４０】
尚、本発明は、上記実施形態に限定されるものではなく、本発明の要旨を逸脱しない範囲で種々の変更が可能である。
【００４１】
例えば、前記実施形態では、ボールナット１４を前記ニス圧胴１Ｂの回転中心Ｘ２とニス胴１Ａの回転中心Ｘ１とを結ぶ延長線上近傍に配置したが、延長線上に（かつ、該延長線に沿って）ボールナット１４を配置して実施すれば、印刷用紙からの反力をより一層確実に受け止めることができる。また、ボールナット１４に螺合するボールねじ１２の軸方向がニス圧胴１Ｂの回転中心Ｘ２とニス胴１Ａの回転中心Ｘ１とを結ぶ延長線と平行となる状態で配置することによって、印刷用紙からの反力をより受け取り易い方向であり、好ましいが、前記延長線と交差する方向にボールねじ１２の軸方向を設定して実施することもできる。
【００４２】
また、前記実施形態では、回転部材がボールねじで、噛合部材がボールナットで構成したが、回転部材がピニオンで、噛合部材がピニオンに噛合うラックで構成してもよく、回転部材及び噛合部材はどのような構成であってもよい。
【００４３】
また、前記実施形態では、ボールナット１４とニス胴１Ａとを昇降フレーム１３を介して連結したが、ニス胴１Ａの端部に直接連結してもよい。この場合、ニス胴１Ａのみ昇降させることになる。
【００４４】
また、前記実施形態では、昇降装置をニス胴１Ａの両側にそれぞれ備えさせたが、ニス胴１Ａの一方側に昇降ガイドを備え、ニス胴１Ａの他方側に駆動部を備えた昇降装置を連結したものであってもよいし、ニス胴１Ａの両端部をそれぞれ支持する支持部材をニス胴１Ａの左右方向中央部まで延出してアーチ型に構成し、このアーチ型の支持部材の左右中央部を持ち上げる単一の昇降装置を設けて実施してもよい。
【００４５】
更に、前記実施形態では、ボールナット１４を、前記ニス圧胴１Ｂの回転中心Ｘ２とニス胴１Ａの回転中心Ｘ１とを結ぶ延長線上近傍に配置するだけでなく、ストッパー２０による接当作用を追加することによって、ニス胴１Ａがニス圧胴１Ｂから離間する上方へ移動することを阻止するように構成したが、ストッパー２０を省略して、ボールナット１４を、前記ニス圧胴１Ｂの回転中心Ｘ２とニス胴１Ａの回転中心Ｘ１とを結ぶ延長線上近傍に配置した構成のみで、ニス胴１Ａがニス圧胴１Ｂから離間する上方へ移動することを阻止するようにしてもよい。
【００４６】
また、前記実施形態では、昇降フレーム１３の左右幅方向両側に、昇降フレーム１３を接近離間自在に移動案内するための案内手段１８，１９を備えた場合を示したが、昇降フレーム１３の左右幅方向一側のみに、案内手段を備えて実施することもできる。尚、案内手段の具体的構成は自由に変更できる。
【００４７】
また、前記実施形態では、電動モータ１１、電動モータ１１によって回転されるボールねじ１２、これに噛み合うボールナット１４等から胴昇降装置を構成したが、次のように構成してもよい。
つまり、一方の胴１Ａを前記接近位置と退避位置とに移動させるための伸縮部を有するアクチュエータと、該アクチュエータの伸縮部と前記接近離間させる胴１Ａとを直接又は間接的に連結した連結部とを備え、少なくとも該胴１Ａの接近位置におけるアクチュエータの伸縮部の位置を固定可能に構成し、前記連結部を前記一対の胴の回転中心を結ぶ延長線上又は該延長線上近傍に配置して、胴昇降装置を構成してもよい。
【００４８】
前記胴昇降装置は、図６に具体的に示されている。図６では、アクチュエータとして、ロック機構付のガススプリング３０を用いている。そのガススプリング３０は、例えば２つの作動室を備えたシリンダ３０Ｂと、いずれか一方の作動室に供給されるエアにより伸縮作動する伸縮部を構成するロッド３０Ａとを備えている。そして、前記シリンダ３０Ｂの基端側を前記支持フレーム１５に枢支し、ロッド３０Ａの先端側を前記昇降フレーム１３に前記取付部材１６を介して連結している。従って、２つの作動室へのエアの切り替えを行うことにより、例えばロッド３０Ａを短縮作動させることで、図６に示すように、ニス圧胴１Ｂに対してニス胴１Ａを上方に設定距離離間させてニスを塗布しない状態又は機器のメンテナンスなどを行う退避位置に位置させることができる。また、ロッド３０Ａを伸長作動させると、ニス圧胴１Ｂに対してニス胴１Ａを接近させて印刷用紙表面にニスを塗布する接近位置に位置させることができるようになっている。そして、前記ガススプリング３０がロック機構を備えていることから、前記接近位置と退避位置にそれぞれ位置したときに、ガススプリング３０の伸縮部であるロッド３０Ａの位置をロック機構により固定できるように構成することによって、ニス胴１Ａを接近位置および退避位置のそれぞれの位置において位置保持することができる。前記ロック機構付のガススプリング３０としては汎用品のものを用いるため、ロック機構の詳細については説明しないとともにロック機構の具体的構成は各種のものを用いることができる。尚、図６で示した他の説明しなかった構成は、図２〜図５のものと同一であるため、同一の符号を付している。
【００４９】
尚、前記伸縮部を有するアクチュエータとしては、ロック機構付のガススプリング３０の他、ロック機構が内蔵された各種の流体圧シリンダを用いてもよいし、又、ロック機構を別に設け、そのロック機構とロック機構を備えていない流体圧シリンダとを連結したものであってもよい。更には、電磁ソレノイド等からアクチュエータを構成してもよい。また、ロック機構付のガススプリング３０とニス胴１Ａとを、前記昇降フレーム１３に取付部材１６を介して取り付けたが、昇降フレーム１３を介さずにガススプリング３０（アクチュエータ）をニス胴１Ａに直接連結してもよい。
【００５０】
また、前記実施形態では、ボールねじ１２またはガススプリング３０をニス胴１Ａを挟んでニス圧胴１Ｂとは反対側に配置したが、これとは反対に、ボールねじ１２またはガススプリング３０をニス胴１Ａに対してニス圧胴１Ｂと同一側に配置して実施してもよい。
【図面の簡単な説明】
【００５１】
【図１】印刷機の一例の概略構成を示す側面図である。
【図２】ワニス塗布部の拡大側面図である。
【図３】ワニス塗布部の縦断正面図である。
【図４】図２で示したワニス塗布部を更に拡大して一部を省略した側面図である。
【図５】図４で示したワニス塗布部の昇降フレームを上昇させた状態を示す側面図である。
【図６】図５で示したワニス塗布部の昇降フレームを昇降させる駆動源を変更した別の構成を示す側面図である。
【符号の説明】
【００５２】
１…ワニス塗布部、１Ａ…ニス胴、１Ｂ…ニス圧胴、２…紙積台、３…フィーダ装置、４…給紙部、５…印刷部、５Ａ〜５Ｅ…印刷ユニット、５ａ〜５ｅ…印刷用圧胴、６…排紙部、７…紫外線乾燥装置、８Ａ，８Ｂ…赤外線乾燥装置、９ａ〜９ｅ…渡し胴、１０…ニス供給ローラ、１１…電動モータ、１２…回転部材（ボールねじ）、１３…昇降フレーム、１３Ａ…折曲片、１４…噛合部材（ボールナット）、１５…支持フレーム、１６…取付部材、１７…ウォームギヤ機構、１７Ａ…ウォーム、１７Ｂ…ウォームホイール、１８…案内手段（ガイドレール）、１８Ａ，１８Ｂ…ガイドレール部、１９…案内手段、１９Ａ，１９Ｂ…案内用コロ、２０…ストッパー、２１，２２…リンク、２３…エアシリンダ、２３Ａ…操作ロッド、２４…検知片、２５…上限検知センサ、２６…下限検知センサ、２８…ニス供給装置、２９…ニス受け皿、Ｐ…印刷用紙、Ｘ１，Ｘ２…回転中心
【図１】
2010120284.tif 000003
【図２】
2010120284.tif 000004
【図３】
2010120284.tif 000005
【図４】
2010120284.tif 000006
【図５】
2010120284.tif 000007
【図６】
2010120284.tif 000008